(57)【要約】【課題】シールド機能の低下を抑制することができるワイヤハーネスを提供する。【解決手段】電線３と、電線３の外周を覆うシールド部材５と、シールド部材５の外周を覆い内周面がシールド部材５の外周面と離間可能に配置される筒状の外装部材７とを備えたワイヤハーネス１において、外装部材７に、外周面を塑性変形させ内周面とシールド部材５の外周面との間に隙間を保持して内周面をシールド部材５に近接させた規制部９を設けた。【選択図】図３
2020102402.tif 000002
【特許請求の範囲】
【請求項１】
電線と、
前記電線の外周を覆うシールド部材と、
前記シールド部材の外周を覆い内周面が前記シールド部材の外周面と離間可能に配置される筒状の外装部材と、
前記外装部材に設けられ外周面を塑性変形させ内周面と前記シールド部材の外周面との間に隙間を保持して内周面を前記シールド部材に近接させた規制部と、
を有することを特徴とするワイヤハーネス。
【請求項２】
請求項１記載のワイヤハーネスであって、
前記規制部は、前記外装部材の周方向にわたって設けられていることを特徴とするワイヤハーネス。
【請求項３】
請求項１又は２記載のワイヤハーネスであって、
前記電線は、前記外装部材の内部に複数配置され、
前記規制部は、複数の前記電線の外形に沿って設けられていることを特徴とするワイヤハーネス。
【発明の詳細な説明】
【技術分野】
【０００１】
本発明は、ワイヤハーネスに関する。詳細には、電線の外周を覆うシールド部材とこのシールド部材の外周を覆う外装部材とを有するワイヤハーネスに関する。
【背景技術】
【０００２】
従来、ワイヤハーネスとしては、電線としての導電路と、この導電路の外周を覆い内周面が導電路の外周面と離間して配置される筒状の外装部材とを備えたものが知られている（例えば、特許文献１参照）。
【０００３】
このワイヤハーネスでは、外装部材の内周面に、長さ方向に沿って千鳥状に交互に配置された複数の凸部が設けられ、外装部材の一端側の開口から導電路が凸部の突出方向に向けて移動しながら導電路が外装部材に挿入される。
【０００４】
このようなワイヤハーネスでは、外装部材に設けられた複数の凸部によって、外装部材内での導電路の動きを抑制することができる。
【先行技術文献】
【特許文献】
【０００５】
【特許文献１】特開２０１７−２２８９７号公報
【発明の概要】
【発明が解決しようとする課題】
【０００６】
ところで、上記特許文献１のようなワイヤハーネスでは、電線へのノイズの浸入や電線からのノイズの漏洩を防止するために、電線の外周を編組などのシールド部材によって覆うことがある。
【０００７】
しかしながら、上記特許文献１のワイヤハーネスのように、外装部材への電線の挿入時に、電線と干渉するような凸部を設けてしまうと、シールド部材を外装部材に挿入するときや外装部材からシールド部材を抜くときのような外装部材に対するシールド部材の組付時や取り外し時に、電線を覆うシールド部材が凸部と干渉してしまい、シールド部材に損傷が生じて、シールド機能が低下してしまう恐れがあった。
【０００８】
そこで、この発明は、シールド機能の低下を抑制することができるワイヤハーネスの提供を目的としている。
【課題を解決するための手段】
【０００９】
請求項１記載の発明は、電線と、前記電線の外周を覆うシールド部材と、前記シールド部材の外周を覆い内周面が前記シールド部材の外周面と離間可能に配置される筒状の外装部材と、前記外装部材に設けられ外周面を塑性変形させ内周面と前記シールド部材の外周面との間に隙間を保持して内周面を前記シールド部材に近接させた規制部とを有することを特徴とするワイヤハーネスである。
【００１０】
このワイヤハーネスでは、外装部材に、外周面を塑性変形させ内周面とシールド部材の外周面との間に隙間を保持して内周面をシールド部材に近接させた規制部が設けられているので、外装部材に対するシールド部材の組付時や取り外し時に、規制部とシールド部材との干渉を抑制でき、シールド部材の損傷によるシールド機能の低下を抑制することができる。
【００１１】
また、規制部の内周面は、シールド部材の外周面との間に隙間を保持してシールド部材に近接されているので、電線とシールド部材とが外装部材内に配置された状態で、外力によって電線が大きく振れることを防止でき、電線の大きな振れによるシールド部材の損傷を防止し、シールド機能の低下を抑制することができる。
【００１２】
従って、このようなワイヤハーネスでは、規制部によって、組付時や取り外し時と配索時のシールド部材の損傷を抑制でき、シールド機能の低下を抑制することができる。
【００１３】
請求項２記載の発明は、請求項１記載のワイヤハーネスであって、前記規制部は、前記外装部材の周方向にわたって設けられていることを特徴とする。
【００１４】
このワイヤハーネスでは、規制部が、外装部材の周方向にわたって設けられているので、外装部材の周方向の全域で電線の大きな振れを防止でき、電線の大きな振れによるシールド部材の損傷を防止することができる。
【００１５】
請求項３記載の発明は、請求項１又は２記載のワイヤハーネスであって、前記電線は、前記外装部材の内部に複数配置され、前記規制部は、複数の前記電線の外形に沿って設けられていることを特徴とする。
【００１６】
このワイヤハーネスでは、規制部が、複数の電線の外形に沿って設けられているので、複数の電線の外形形状に合わせて、規制部を複数の電線とシールド部材とに近接して配置することができ、電線の大きな振れを防止して、電線の大きな振れによるシールド部材の損傷を防止することができる。
【発明の効果】
【００１７】
本発明によれば、シールド機能の低下を抑制することができるワイヤハーネスを提供することができるという効果を奏する。
【図面の簡単な説明】
【００１８】
【図１】本発明の実施の形態に係るワイヤハーネスが取り付けられた車両の概略図である。
【図２】本発明の第１実施形態に係るワイヤハーネスの斜視図である。
【図３】本発明の第１実施形態に係るワイヤハーネスの断面図である。
【図４】本発明の第２実施形態に係るワイヤハーネスの断面図である。
【図５】本発明の第３実施形態に係るワイヤハーネスの断面図である。
【発明を実施するための形態】
【００１９】
図１〜図５を用いて本発明の実施の形態に係るワイヤハーネスについて説明する。
【００２０】
（第１実施形態）
図１〜図３を用いて第１実施形態について説明する。
【００２１】
本実施の形態に係るワイヤハーネス１は、電線３と、電線３の外周を覆うシールド部材５と、シールド部材５の外周を覆い内周面がシールド部材５の外周面と離間可能に配置される筒状の外装部材７とを備えている。
【００２２】
そして、外装部材７には、外周面を塑性変形させ内周面とシールド部材５の外周面との間に隙間を保持して内周面をシールド部材５に近接させた規制部９が設けられている。
【００２３】
ここで、図１に示すように、例えば、本実施の形態に係るワイヤハーネス１は、車両１１に搭載された電気部品としての電動モータ１３と、バッテリ１５との間を電気的に接続する。
【００２４】
このワイヤハーネス１は、例えば、プラス回路やマイナス回路を構成する２本の高圧電線としての電線３，３を有しており、両端部が電動モータ１３側とバッテリ１５側とにそれぞれ接続され、車両１１の床下に配索される。
【００２５】
以下、図１〜図３を用いてワイヤハーネス１の詳細について説明する。
【００２６】
図１〜図３に示すように、ワイヤハーネス１は、電線３と、シールド部材５と、外装部材７とを備えている。
【００２７】
電線３は、１本の導体からなる単芯電線となっており、導体の外周に絶縁被覆が施されている。
【００２８】
この電線３は、車両１１に搭載された電気部品（ここでは電動モータ１３とバッテリ１５）の間で、プラス回路とマイナス回路を構成する２本の高圧電線となっており、流れる電流値に合わせて導体の径が設定されている。
【００２９】
このような電線３は、剛性を有し、曲げが施されると、元に戻ることがなく、配索経路に対する経路規制に優れており、車両１１に対する所定の配索形状に成形される。
【００３０】
このような電線３は、複数（ここでは２本）が配置された状態で、複数の電線３の外周を覆うようにシールド部材５が配置されている。
【００３１】
シールド部材５は、導電性材料からなる複数の素線が編み込まれて形成された編組からなり、複数の電線３の外周を覆うように配置されている。
【００３２】
このシールド部材５は、長さ方向の両端部に、接地端子やシールドシェルなどが電気的に接続され、接地端子やシールドシェルなどが接地されることにより、シールド回路を形成する。
【００３３】
このようにシールド部材５がシールド回路を形成することにより、電線３の芯線からのノイズなどの漏洩や電線３の芯線へのノイズなどの侵入を防止することができる。
【００３４】
このようなシールド部材５の外周には、外装部材７が配置されている。
【００３５】
外装部材７は、合成樹脂などの絶縁性材料からなり、内周面がシールド部材５の外周面と離間可能なように、内径がシールド部材５の外径より大径にされた円筒状に形成されている。
【００３６】
この外装部材７には、一端側の開口から外周にシールド部材５が配置された複数の電線３が内部に向けて挿入され、外装部材７が複数の電線３とシールド部材５との外周を覆うように配置され、複数の電線３とシールド部材５とを保護する。
【００３７】
なお、外装部材７は、電線３の車両１１に対する配索形状に沿って成形されてもよいが、例えば、可撓性を有するコルゲートチューブと外装部材７とを結合して設け、直線状に形成された部分に外装部材７を配置するようにしてもよい。
【００３８】
この内部に複数の電線３とシールド部材５とが収容された外装部材７は、車両１１の床下に取り付けられ、ワイヤハーネス１を車両１１の床下に配索させる。
【００３９】
このような外装部材７には、規制部９が設けられている。
【００４０】
規制部９は、外装部材７の周方向の一部に配置され、外装部材７の内部に電線３とシールド部材５とが配置された状態で、外装部材７の外周面を、熱加工によって塑性変形させ、外装部材７の内周面とシールド部材５の外周面との間に隙間を保持するように、外装部材７の内周面をシールド部材５に近接させて設けられている。
【００４１】
なお、規制部９を、外装部材７の内部に電線３とシールド部材５とが配置されていない状態で、外装部材７に設けてもよい。
【００４２】
ここで、規制部９の内周面と外装部材７の内周面との間が、シールド部材５の外径と同等である場合、シールド部材５を外装部材７に挿入するとき（或いは外装部材７からシールド部材５を抜くとき）に、シールド部材５が規制部９の内周面と干渉してしまい、シールド部材５に損傷が生じてしまう恐れがある。
【００４３】
これに対して、規制部９は、内周面がシールド部材５の外周面との間に隙間を保持してシールド部材５に近接されているので、シールド部材５を外装部材７に挿入するとき（本実施の形態においては外装部材７からシールド部材５を抜くとき）に、シールド部材５が規制部９の内周面と干渉する機会を大幅に減少させることができ、シールド部材５に損傷が生じることを抑制することができる。
【００４４】
加えて、規制部９を、外装部材７の内部に電線３とシールド部材５とが配置された状態で、外装部材７に設けることにより、シールド部材５を外装部材７に挿入するときに、外装部材７の内部にシールド部材５と干渉する部分がなく、規制部９によってシールド部材５に損傷が生じることを防止することができる。
【００４５】
なお、規制部９を外装部材７の長さ方向に複数設けてもよく、複数の規制部９を外装部材７の長さ方向に沿って千鳥状に配置させてもよい。
【００４６】
但し、複数の規制部９を外装部材７の長さ方向に沿って千鳥状に配置させる場合には、隣り合う規制部９，９の内周面で形成される内径が、シールド部材５の外径よりも大きくなるように設定する。
【００４７】
このように複数の規制部９の内周面を設定することにより、シールド部材５を外装部材７に挿入し（或いは外装部材７からシールド部材５を抜き）、隣り合う規制部９，９の間にシールド部材５が位置したときに、規制部９の内周面とシールド部材５の外周面との間に隙間を保持することができ、シールド部材５に損傷が生じることを抑制することができる。
【００４８】
このような規制部９を外装部材７に設けることにより、シールド部材５の組付時や取り外し時におけるシールド部材５の損傷を抑制することができ、シールド機能の低下を抑制することができる。
【００４９】
加えて、外装部材７に対してシールド部材５を組付けるときや取り外すときに、シールド部材５が規制部９と干渉しながら移動されることがないので、挿入力や引っ張り力を低減することができ、作業性を向上することができる。
【００５０】
一方、規制部９は、内周面がシールド部材５の外周面との間に隙間を保持してシールド部材５に近接されているので、外装部材７が車両１１の床下に取り付けられた状態で、車両１１の走行による振動などの外力によって、電線３が大きく振れることを防止することができる。
【００５１】
このため、電線３の大きな振れによるシールド部材５の損傷を防止することができ、車両１１に対するワイヤハーネス１の配索時におけるシールド機能の低下を抑制することができる。
【００５２】
このようなワイヤハーネス１では、外装部材７に、外周面を塑性変形させ内周面とシールド部材５の外周面との間に隙間を保持して内周面をシールド部材５に近接させた規制部９が設けられているので、外装部材７に対するシールド部材５の組付時や取り外し時に、規制部９とシールド部材５との干渉を抑制でき、シールド部材５の損傷によるシールド機能の低下を抑制することができる。
【００５３】
また、規制部９の内周面は、シールド部材５の外周面との間に隙間を保持してシールド部材５に近接されているので、電線３とシールド部材５とが外装部材７内に配置された状態で、外力によって電線３が大きく振れることを防止でき、電線３の大きな振れによるシールド部材５の損傷を防止し、シールド機能の低下を抑制することができる。
【００５４】
従って、このようなワイヤハーネス１では、規制部９によって、組付時や取り外し時と配索時のシールド部材５の損傷を抑制でき、シールド機能の低下を抑制することができる。
【００５５】
（第２実施形態）
図４を用いて第２実施形態について説明する。
【００５６】
本実施の形態に係るワイヤハーネス１０１は、規制部１０３が、外装部材７の周方向にわたって設けられている。
【００５７】
なお、第１実施形態と同様の構成には、同一の記号を記して構成及び機能説明は第１実施形態を参照するものとし省略するが、第１実施形態と同一の構成であるので、得られる効果は同一である。
【００５８】
図４に示すように、規制部１０３は、外装部材７の周方向の全域にわたって配置され、外装部材７の内部に電線３とシールド部材５とが配置された状態で、外装部材７の外周面を、熱加工によって塑性変形させ、外装部材７の内周面とシールド部材５の外周面との間に隙間を保持するように、外装部材７の内周面をシールド部材５に近接させて設けられている。
【００５９】
なお、規制部１０３を、外装部材７の内部に電線３とシールド部材５とが配置されていない状態で、外装部材７に設けてもよい。
【００６０】
この規制部１０３は、外装部材７の径を縮径させるように断面円形状に形成され、外装部材７の内周面の周方向全域が、シールド部材５の外周面に近接して配置されている。
【００６１】
このように規制部１０３を外装部材７の周方向にわたって設けることにより、外装部材７の周方向の全域で、規制部１０３によって電線３の大きな振れを防止することができる。
【００６２】
なお、規制部１０３は、断面円形状に形成されているが、２本の電線３の外形に合わせて断面楕円形状に形成してもよい。
【００６３】
加えて、外装部材７内には、２本の電線３が挿通されているが、これに限らず、１本の電線３を挿通させ、この１本の電線３の外周にシールド部材５を配置させてもよい。
【００６４】
このようなワイヤハーネス１０１では、規制部１０３が、外装部材７の周方向にわたって設けられているので、外装部材７の周方向の全域で電線３の大きな振れを防止でき、電線３の大きな振れによるシールド部材５の損傷を防止することができる。
【００６５】
（第３実施形態）
図５を用いて第３実施形態について説明する。
【００６６】
本実施の形態に係るワイヤハーネス２０１は、電線３が、外装部材７の内部に複数配置され、規制部２０３が、複数の電線３の外形に沿って設けられている。
【００６７】
なお、他の実施形態と同様の構成には、同一の記号を記して構成及び機能説明は他の実施形態を参照するものとし省略するが、他の実施形態と同一の構成であるので、得られる効果は同一である。
【００６８】
図５に示すように、外装部材７の内部には、複数（ここでは３本）の電線３が配置され、複数の電線３のうち２本の電線３の外周にシールド部材５が配置され、シールド部材５の外周に１本の電線３が配置されて、その外形が三角形状に形成されている。
【００６９】
規制部２０３は、外装部材７の周方向の全域にわたって配置され、外装部材７の内部に電線３とシールド部材５とが配置された状態で、外装部材７の外周面を、熱加工によって塑性変形させ、外装部材７の内周面とシールド部材５の外周面との間に隙間を保持するように、外装部材７の内周面をシールド部材５に近接させて設けられている。
【００７０】
なお、規制部２０３を、外装部材７の内部に電線３とシールド部材５とが配置されていない状態で、外装部材７に設けてもよい。
【００７１】
この規制部２０３は、外装部材７の径を縮径させるように、複数の電線３の外形形状に合わせて断面三角形状に形成され、外装部材７の内周面の周方向全域が、電線３やシールド部材５の外周面に近接して配置されている。
【００７２】
このように規制部２０３を複数の電線３の外形に沿って設けることにより、規制部２０３の内周面を電線３とシールド部材５との外周面に近接して配置させることができ、規制部２０３によって電線３の大きな振れを防止することができる。
【００７３】
なお、複数の電線３が２本であるときには、２本の電線３の外形に合わせて、規制部２０３を断面楕円形状、或いは断面長方形状に形成し、複数の電線３が４本であるときには、４本の電線３の外形に合わせて、規制部２０３を断面四角形状に形成するなど、複数の電線３の外形に合わせて、規制部２０３を形成すればよい。
【００７４】
このようなワイヤハーネス２０１では、規制部２０３が、複数の電線３の外形に沿って設けられているので、複数の電線３の外形形状に合わせて、規制部２０３を複数の電線３とシールド部材５とに近接して配置することができ、電線３の大きな振れを防止して、電線３の大きな振れによるシールド部材５の損傷を防止することができる。
【００７５】
なお、本発明の実施の形態に係るワイヤハーネスでは、シールド部材が２本の電線の外周に配置されているが、これに限らず、１本の電線の外周のそれぞれにシールド部材を配置させてもよい。
【００７６】
また、シールド部材は、編組となっているが、これに限らず、シールド部材を金属箔としてもよく、シールド回路を形成できるものであれば、シールド部材はどのような形態であってもよい。
【００７７】
さらに、外装部材には、２本、或いは３本の電線が配置されているが、これに限らず、外装部材に１本の電線、或いは４本以上の電線を配置させてもよい。
【００７８】
また、外装部材は、外周面に蛇腹形状を有していないが、これに限らず、コルゲートチューブのように蛇腹形状を有し、可撓性を有していてもよい。
【符号の説明】
【００７９】
１，１０１，２０１…ワイヤハーネス
３…電線
５…シールド部材
７…外装部材
９，１０３，２０３…規制部
【図１】
2020102402.tif 000003
【図２】
2020102402.tif 000004
【図３】
2020102402.tif 000005
【図４】
2020102402.tif 000006
【図５】
2020102402.tif 000007